(57)【要約】【課題】表示部が取り付けられた位置によって、表示内容を替えることで、様々なユーザに対して適切な表示をすることができる画像処理装置を提供する。【解決手段】画像処理装置１は、画像を表示する少なくとも２つ以上の複数の表示部１０と、複数の表示部が取り付けられる筐体（画像形成部２および情報端末３）と、複数の表示部１０に表示する画像を制御する表示制御部とを備えている。複数の表示部１０は、筐体に対して着脱自在な構成とされている。筐体は、表示部１０を取り付ける取付位置（第１取付位置Ｐ１ないし第７取付位置Ｐ７）が複数設けられている。表示制御部は、複数の表示部１０が取り付けられた位置に基づいて、それぞれに表示する画像を制御する。【選択図】図１
2018034487.tif 000002
【特許請求の範囲】
【請求項１】
画像を表示する少なくとも２つ以上の複数の表示部と、
前記複数の表示部が取り付けられる筐体と、
前記複数の表示部に表示する画像を制御する表示制御部とを備えた画像処理装置であって、
前記複数の表示部は、前記筐体に対して着脱自在な構成とされ、
前記筐体は、前記表示部を取り付ける取付位置が複数設けられ、
前記表示制御部は、前記複数の表示部が取り付けられた位置に基づいて、それぞれに表示する画像を制御すること
を特徴とする画像処理装置。
【請求項２】
請求項１に記載の画像処理装置であって、
前記複数の表示部は、ユーザの入力を受け付ける入力部とされていること
を特徴とする画像処理装置。
【請求項３】
請求項２に記載の画像処理装置であって、
前記表示制御部は、ユーザの入力を受け付けた際、前記複数の表示部にそれぞれ異なる画像を表示させること
を特徴とする画像処理装置。
【請求項４】
請求項２または請求項３に記載の画像処理装置であって、
前記表示制御部は、前記複数の表示部のうち、ユーザの入力を受け付けた表示部に表示する画像を変更すること
を特徴とする画像処理装置。
【請求項５】
請求項１から請求項４までのいずれか１つに記載の画像処理装置であって、
前記複数の表示部は、それぞれサイズを前記表示制御部に通知する構成とされ、
前記表示制御部は、前記複数の表示部における互いのサイズを比較して、表示する画像を制御すること
を特徴とする画像処理装置。
【請求項６】
請求項１から請求項５までのいずれか１つに記載の画像処理装置であって、
前記表示部は、前記筐体に対し、無線通信を介して接続される構成とされていること
を特徴とする画像処理装置。
【請求項７】
請求項６に記載の画像処理装置であって、
前記表示部は、携帯端末とされていること
を特徴とする画像処理装置。
【請求項８】
画像を表示する少なくとも２つ以上の複数の表示部と、
前記複数の表示部が取り付けられる筐体とを備え、
前記複数の表示部は、前記筐体に対して着脱自在な構成とされ、
前記筐体は、前記複数の表示部を取り付ける取付位置が複数設けられた画像処理装置の画像処理方法であって、
表示制御部に、前記複数の表示部に表示する画像を制御させる表示制御ステップを含み、
前記表示制御ステップは、前記複数の表示部が取り付けられた位置に基づいて、それぞれに表示する画像を制御すること
を特徴とする画像処理方法。
【請求項９】
請求項８に記載の各ステップをコンピュータに実行させるための画像処理プログラム。
【発明の詳細な説明】
【技術分野】
【０００１】
本発明は、複数の表示部を備えた画像処理装置、画像処理方法、および画像処理プログラムに関する。
【背景技術】
【０００２】
近年、画像形成装置においては、オフィスやコンビニエンスストアなどの様々なパブリックスペースに設置されており、利用するユーザが多様化している。ユーザの多様化に対して、インターフェースの改善が求められており、操作部や表示部などを設置された位置から移動させることで、操作性を向上させることが提案されている（例えば、特許文献１および特許文献２参照。）。
【先行技術文献】
【特許文献】
【０００３】
【特許文献１】特開２００５−３２６２５７号公報
【特許文献２】特開２００７−３１２３１８号公報
【発明の概要】
【発明が解決しようとする課題】
【０００４】
特許文献１に記載の画像形成装置は、本体に設けられた第１操作部と、本体から取り外し可能な第２操作部とを備えている。
【０００５】
特許文献２に記載の画像形成装置は、主操作表示部と着脱可能な副操作表示部とを備え、主操作表示部と副操作表示部とは、各種情報を相互に関連付けて、あるいはそれぞれ独立に表示・操作する構成とされている。
【０００６】
しかしながら、従来の画像形成装置では、表示部が着脱可能とされていたり、表示する情報を増やしたりしているだけであって、表示部の設置箇所について考慮されていない。そのため、表示部の設置箇所を変えた場合に、その位置にあった表示内容とすることができないという課題がある。
【０００７】
本発明は、上記の課題を解決するためになされたものであり、表示部が取り付けられた位置によって、表示内容を替えることで、様々なユーザに対して適切な表示をすることができる画像処理装置、画像処理方法、および画像処理プログラムを提供することを目的とする。
【課題を解決するための手段】
【０００８】
本発明に係る画像処理装置は、画像を表示する少なくとも２つ以上の複数の表示部と、前記複数の表示部が取り付けられる筐体と、前記複数の表示部に表示する画像を制御する表示制御部とを備えた画像処理装置であって、前記複数の表示部は、前記筐体に対して着脱自在な構成とされ、前記筐体は、前記表示部を取り付ける取付位置が複数設けられ、前記表示制御部は、前記複数の表示部が取り付けられた位置に基づいて、それぞれに表示する画像を制御することを特徴とする。
【０００９】
本発明に係る画像処理装置では、前記複数の表示部は、ユーザの入力を受け付ける入力部とされている構成としてもよい。
【００１０】
本発明に係る画像処理装置では、前記表示制御部は、ユーザの入力を受け付けた際、前記複数の表示部にそれぞれ異なる画像を表示させる構成としてもよい。
【００１１】
本発明に係る画像処理装置では、前記表示制御部は、前記複数の表示部のうち、ユーザの入力を受け付けた表示部に表示する画像を変更する構成としてもよい。
【００１２】
本発明に係る画像処理装置では、前記複数の表示部は、それぞれサイズを前記表示制御部に通知する構成とされ、前記表示制御部は、前記複数の表示部における互いのサイズを比較して、表示する画像を制御する構成としてもよい。
【００１３】
本発明に係る画像処理装置では、前記表示部は、前記筐体に対し、無線通信を介して接続される構成としてもよい。
【００１４】
本発明に係る画像処理装置では、前記表示部は、携帯端末とされている構成としてもよい。
【００１５】
本発明に係る画像処理方法は、画像を表示する少なくとも２つ以上の複数の表示部と、前記複数の表示部が取り付けられる筐体とを備え、前記複数の表示部は、前記筐体に対して着脱自在な構成とされ、前記筐体は、前記複数の表示部を取り付ける取付位置が複数設けられた画像処理装置の画像処理方法であって、表示制御部に、前記複数の表示部に表示する画像を制御させる表示制御ステップを含み、前記表示制御ステップは、前記複数の表示部が取り付けられた位置に基づいて、それぞれに表示する画像を制御することを特徴とする。
【００１６】
本発明に係る画像処理プログラムは、本発明に係る画像処理方法の各ステップをコンピュータに実行させることを特徴とする。
【発明の効果】
【００１７】
本発明によると、取付位置によって、複数の表示部の表示内容を替えることで、様々なユーザに対して適切な表示をすることができる。
【図面の簡単な説明】
【００１８】
【図１】本発明の第１実施形態に係る画像処理装置の外観正面図である。
【図２】本発明の第１実施形態に係る画像処理装置の概略構成図である。
【図３】第１画像を示す概略説明図である。
【図４】第２画像を示す概略説明図である。
【図５】第３画像を示す概略説明図である。
【図６】第４画像を示す概略説明図である。
【図７】第５画像を示す概略説明図である。
【図８】第６画像を表示する携帯端末を示す概略説明図である。
【図９】表示部の位置に基づいて、表示する画像を指示する画像表示処理の処理フローを示すフロー図である。
【図１０】表示モードと表示画面との対応関係の一例を示す説明図である。
【図１１】広告に対応するメッセージ情報の一例を示す説明図である。
【図１２】入力を受け付けた際、表示する画像を変更する画像変更処理の処理フローを示すフロー図である。
【図１３】複数の表示部を取り付けた際の画像変更処理の処理フローを示すフロー図である。
【図１４】サブ表示部と関連処理との対応関係の一例を示す説明図である。
【図１５】メッセージ情報の一例を示す説明図である。
【図１６】出力物情報とポイントとの対応関係の一例を示す説明図である。
【図１７】本発明の第４実施形態に係る画像処理装置の概略説明図である。
【図１８】プレビュー拡大処理の処理フローを示すフロー図である。
【発明を実施するための形態】
【００１９】
（第１実施形態）
以下、本発明の第１実施形態に係る画像処理装置について、図面を参照して説明する。
【００２０】
図１は、本発明の第１実施形態に係る画像処理装置の外観正面図である。
【００２１】
本発明の第１実施形態に係る画像処理装置１は、２つの筐体を備えており、横に並べて配置された画像形成部２と情報端末３とで構成されている。なお、画像処理装置１の形状は限定されておらず、画像形成部２と情報端末３とが一体とされた１つの筐体で構成されていてもよい。
【００２２】
画像形成部２は、複写機能、ファクシミリ機能、プリンタ機能等を有し、筐体の中ほどに設けられた排紙トレイ４に画像形成した用紙を排出する。また、画像形成部２の上部には、筐体に対して取り外し自在な表示部１０が取り付けられている。
【００２３】
情報端末３は、記録媒体から読み取った画像を用紙に印刷し、筐体の下部に設けられた用紙排出口５に用紙を排出する。また、情報端末３の上縁には、表示部１０が設けられている。画像形成部２と情報端末３とは、互いに接続されてデータ通信を行っており、画像形成部２と情報端末３とが連係動作する。すなわち、情報端末３で読み取った画像を画像形成部２で画像形成してもよいし、画像形成部２に保存された画像を情報端末３で印刷してもよい。
【００２４】
また、情報端末３は、上述した処理の他に、ネットワークを介した処理などを行ってもよく、例えば、デジタルコンテンツのダウンロード、チケット予約や公共料金の支払いなど、多様な処理を行ってもよい。
【００２５】
画像形成部２と情報端末３とでは、用いる用紙が異なっていてもよく、本実施の形態において、画像形成部２は、主に普通紙を用いている。また、情報端末３は、主に光沢紙や印画紙などを用いて、写真を印刷する。
【００２６】
表示部１０は、画像を表示し、ユーザの入力を受け付ける入力部とされており、例えば、タッチパネルである。つまり、表示部１０は、画像を表示する機能と、指示の入力を受け付ける機能とを兼ね備えている。
【００２７】
画像処理装置１は、表示部１０を取り付ける取付位置が筐体に複数設けられている。以下では、取付位置の詳細な位置について説明する。本実施の形態では、７箇所に取付位置が設けられており、情報端末３側が３つとされ、画像形成部２側が４つとされている。
【００２８】
情報端末３側では、上述したように、情報端末３の上縁に第１取付位置Ｐ１が設けられており、図１では、第１取付位置Ｐ１に表示部１０が取り付けられている。情報端末３の上方には、第３取付位置Ｐ３が設けられており、情報端末３の上面に設けられた接続部などを介して表示部１０が設置される。用紙排出口５の近傍には、第７取付位置Ｐ７が設けられている。
【００２９】
画像形成部２側では、上述したように、画像形成部２の中ほどに第２取付位置Ｐ２が設けられており、図１では、第２取付位置Ｐ２に表示部１０が取り付けられている。画像形成部２の上方には、第４取付位置Ｐ４が設けられており、画像形成部２の上面に設けられた接続部などを介して表示部１０が設置される。排紙トレイ４の近傍には、第５取付位置Ｐ５が設けられ、画像形成部２の前面には、第６取付位置Ｐ６が設けられている。なお、以下では説明のため、第１取付位置Ｐ１ないし第７取付位置Ｐ７を併せて、取付位置と呼ぶことがある。表示部１０は、筐体に取り付けられると、取り付けられた取付位置を示す信号を表示制御部１１へ伝える。また、上述した取付位置とは異なる位置に、さらに取付位置が設けられていてもよく、例えば、画像形成部２の背面に設けられていてもよい。
【００３０】
取付位置には、例えば、台座やフックなどを設けることで、表示部１０が着脱自在な構造とされている。表示部１０と画像処理装置１とを有線で接続する場合には、取付位置の近傍にコネクタなどを設ければよく、接続されたコネクタによって、いずれの取付位置に表示部１０が取り付けられているかを判別することができる。また、表示部１０と画像処理装置１とを無線で接続する場合には、例えば、赤外線や電波などを用いたＮＦＣ（近距離無線通信）を行う通信部を設ければよい。この場合には、通信を行う範囲を対応する取付位置周辺に限定することで、取付位置を判別することができる。また、台座やフックなどに表示部１０の有無を検知するセンサなどを設けた構成としてもよい。
【００３１】
図２は、本発明の第１実施形態に係る画像処理装置の概略構成図である。
【００３２】
画像処理装置１は、少なくとも２つ以上の複数の表示部１０と、画像形成部２と、複数の表示部１０に表示する画像を制御する表示制御部１１とを備えている。表示制御部１１は、複数の表示部１０が取り付けられた位置に基づいて、それぞれに表示する画像を制御する。表示制御部１１は、図示しないＣＰＵに予め組み込まれたプログラムとして記憶され、記憶したプログラムを実行することにより、後述する処理を実行する。なお、表示制御部１１が制御する処理については、後述する図１２を参照して詳細に説明する。
【００３３】
次に、表示部１０に表示される画像の一例である第１画像ＧＺ１ないし第６画像ＧＺ６について、図面を参照して説明する。
【００３４】
図３は、第１画像を示す概略説明図である。
【００３５】
第１画像ＧＺ１は、ユーザへ向けたメッセージＭｓと、ユーザの入力を受け付けるキーＫｅとを含む構成とされている。メッセージＭｓとして表示する内容は、予め設定されており、例えば、後述する図１１および図１５に示すメッセージ情報に基づいて決定すればよい。なお、メッセージＭｓとして表示する内容の具体例については、後述する図１１および図１５を参照して詳細に説明する。
【００３６】
図３では、１つのキーＫｅを備えた第１画像ＧＺ１を示しているが、これに限定されず、複数のキーＫｅを備えて、テンキーやキーボードなどとされていてもよい。
【００３７】
図４は、第２画像を示す概略説明図である。
【００３８】
第２画像ＧＺ２は、メッセージＭｓだけを含む構成とされている。なお、メッセージＭｓを表示する領域は、表示する内容に応じて、適宜大きさを変えればよい。
【００３９】
図５は、第３画像を示す概略説明図である。
【００４０】
第３画像ＧＺ３は、キーＫｅだけを含む構成とされている。キーＫｅを表示する領域は、適宜大きさを変えてもよく、第３画像ＧＺ３では、第１画像ＧＺ１より大きいキーＫｅとされている。
【００４１】
図６は、第４画像を示す概略説明図である。
【００４２】
第４画像ＧＺ４は、複数の写真Ｐｈを含む構成とされている。複数の写真Ｐｈは、単なる画像ではなく、入力を受け付けるキーとされていてもよく、ユーザからの入力を受け付けることで、複数の写真Ｐｈのうちいずれかを選択する構成としてもよい。
【００４３】
図７は、第５画像を示す概略説明図である。
【００４４】
第５画像ＧＺ５は、フレーム付写真ＦＰと、複数のフレームＦｋと、複数のフレームメッセージＦｍとを含む構成とされている。フレームＦｋは、写真Ｐｈと組み合わせられる画像であって、例えば、写真Ｐｈの外縁に沿って配置される。フレームメッセージＦｍは、対応するフレームＦｋに関する表示内容とされている。フレーム付写真ＦＰは、上述した写真ＰｈとフレームＦｋとを組み合わせた画像とされている。
【００４５】
図８は、第６画像を表示する携帯端末を示す概略説明図である。
【００４６】
本実施の形態において、表示部１０は、筐体と無線通信を介して接続されていてもよく、例えば、携帯端末１２を表示部１０として用いてもよい。携帯端末１２のディスプレイには、第６画像ＧＺ６が表示されている。第６画像ＧＺ６では、複数の写真Ｐｈが並べて配置されている。なお、携帯端末１２に表示される画像は、第６画像ＧＺ６に限定されず、例えば、第１画像ＧＺ１ないし第５画像ＧＺ５が表示されてもよい。無線通信を用いることで、物理的な接続方法を設けることなく、表示部１０を自在に取り外すことができ、ユーザが持ち運びできる携帯端末１２を表示部１０として用いることができる。
【００４７】
次に、画像処理装置１で表示部１０に画像を表示する際の処理フローについて説明する。
【００４８】
図９は、表示部の位置に基づいて、表示する画像を指示する画像表示処理の処理フローを示すフロー図である。
【００４９】
画像処理装置１では、複数の表示部１０に対して、それぞれが取り付けられた位置に応じて、メイン表示部およびサブ表示部のいずれであるかを設定する。具体的に、本実施の形態では、第１取付位置Ｐ１に取り付けられた表示部１０を優先してメイン表示部に設定し、他の表示部１０をサブ表示部に設定する。なお、取り付けられた表示部１０が１つだけである場合には、メイン表示部だけを設定する。
【００５０】
ステップＳ０１では、表示制御部１１によって、サブ表示部を備えているかどうかを判断する。つまり、２つ以上の表示部１０が画像処理装置１に取り付けられているかどうかを判断する。その結果、サブ表示部を備えている場合（ステップＳ０１：Ｙｅｓ）、ステップＳ０３へ進む。一方、サブ表示部を備えていない場合（ステップＳ０１：Ｎｏ）、ステップＳ０２へ進む。
【００５１】
ステップＳ０２では、表示部１０によって、単数表示画面を表示する。なお、単数表示画面については、後述する図１０を参照して、詳細に説明する。
【００５２】
ステップＳ０３では、表示制御部１１によって、表示部１０の位置情報を取得したかどうかを判断する。つまり、表示制御部１１は、いずれの取付位置に表示部１０が取り付けられているかを示す信号に基づいて、位置情報を生成する。具体的には、コネクタや通信部などを判別して表示部１０が取り付けられた位置を特定すればよい。その結果、位置情報を取得した場合（ステップＳ０３：Ｙｅｓ）、ステップＳ０４へ進む。一方、位置情報を取得していない場合（ステップＳ０３：Ｎｏ）、ステップＳ０５へ進む。
【００５３】
ステップＳ０４では、表示制御部１１によって、位置情報に基づいて、表示画面を選択する。表示画面は、例えば、後述する図１０に示す複数表示画面１ないし複数表示画面５から選択すればよい。
【００５４】
ステップＳ０５では、表示制御部１１によって、複数表示画面１を表示する。
【００５５】
上述した処理フローでは、表示する画面が選択されると、処理を終了する。
【００５６】
図１０は、表示モードと表示画面との対応関係の一例を示す説明図である。
【００５７】
画像処理装置１では、表示部１０の設置状況に応じて、表示モードを選択しており、それぞれの表示モードに応じた表示画面を表示させる。具体的に、メイン表示部のみが設定されている場合には、表示モードとして単数表示画面を選択する。つまり、メイン表示部に表示する画像のみ設定し、サブ表示部の表示画面は設定しない。また、メイン表示部とサブ表示部とが設定されている場合には、表示モードとして複数表示画面１ないし複数表示画面５から選択する。例えば、複数表示画面１は、第３取付位置Ｐ３の表示部１０をサブ表示部としたときに選択され、複数表示画面２は、第４取付位置Ｐ４の表示部１０をサブ表示部としたときに選択され、複数表示画面３は、第２取付位置Ｐ２の表示部１０をサブ表示部としたときに選択され、複数表示画面４は、第６取付位置Ｐ６の表示部１０をサブ表示部としたときに選択される。複数表示画面５は、画像形成部２の背面に取り付けた表示部１０などをサブ表示部としたときに選択される。
【００５８】
それぞれの表示モードは、画像処理装置１の状態に基づいた表示画面が設定されており、図１０では、画像処理装置１の３つの状態に対応する表示画面を示している。具体的に、図１０に示す画像処理装置１の状態は、待機時と印刷時と端末操作時とされている。待機時は、画像処理装置１がユーザからの入力を待っており、印刷などの処理をしていない状態である。印刷時は、ユーザからの指示によって、用紙や写真などを印刷している状態である。端末操作時は、情報端末３への入力を受け付けている状態である。
【００５９】
待機時においてメイン表示部に表示されるポータル画面は、画像処理装置１の操作における初期画面であって、実施したい機能をユーザに選択させるものとされている。印刷時においてメイン表示部に表示される印刷画面は、処理状況や印刷の設定など、印刷に関する表示とされている。端末操作時においてメイン表示部に表示される端末操作画面は、情報端末３による各種処理を示す表示とされている。
【００６０】
待機時のサブ表示部には、広告や調整画面が表示される。印刷時および端末操作時のサブ表示部には、テンキーやプレビューなどの補助表示、機能説明、操作ＵＩ（ユーザインターフェース）、および調整画面が表示される。
【００６１】
上述したように、それぞれの取付位置には、好ましい表示内容が設定されている。具体的に、第１取付位置Ｐ１および第２取付位置Ｐ２は、画像処理装置１に関する全般的な表示をするのが好ましいとされている。第３取付位置Ｐ３は、第１取付位置Ｐ１に対する補助的な表示をするのが好ましいとされており、例えば、第１取付位置Ｐ１（表示部１０）に収まらなかったキーや画像などを表示する。つまり、入力を補助するテンキーや、印刷を指示された画像を示すプレビューなどを表示する。第４取付位置Ｐ４は、第２取付位置Ｐ２に対する補助的な表示をしたり、ユーザへの広告などを表示したりするのが好ましいとされている。第５取付位置Ｐ５は、第１取付位置Ｐ１より低い位置とされ、近傍の排紙トレイ４に関する表示をしたり、背の低いユーザへ向けた表示をしたりするのが好ましいとされている。つまり、子供を対象にした広告や、簡略化した入力画面（簡単操作ＵＩ）などを表示する。第６取付位置Ｐ６は、メンテナンスを行うサービスマンへ向けた表示をするのが好ましいとされ、画像処理装置１の調整画面などの表示をする。第７取付位置Ｐ７は、近傍の用紙排出口５に関する表示をするのが好ましいとされている。
【００６２】
第３取付位置Ｐ３および第４取付位置Ｐ４では、補助的な表示として、第１取付位置Ｐ１および第２取付位置Ｐ２で表示されている画像と、関連する画像を表示してもよい。例えば、第１取付位置Ｐ１および第２取付位置Ｐ２において、図７に示す第５画像ＧＺ５を表示している際、第３取付位置Ｐ３および第４取付位置Ｐ４（表示部１０）で第４画像ＧＺ４を表示する。
【００６３】
このように、取付位置によって、複数の表示部１０の表示内容を替えることで、様々なユーザに対して適切な表示をすることができる。
【００６４】
図１１は、広告に対応するメッセージ情報の一例を示す説明図である。
【００６５】
メッセージ情報は、画像処理装置１に予め記憶された情報であって、表示部１０に表示されるメッセージＭｓの内容が設定されている。メッセージ情報では、「ＩＤ」、「表示内容」、「表示部特徴」、および「出力物情報」が関連付けられている。「ＩＤ」は、メッセージ情報に登録された複数のメッセージＭｓを、それぞれ区別するために付された符号や番号とされている。「表示内容」は、画像として表示されるメッセージＭｓの内容を示しており、例えば、画像処理装置１を操作するためにユーザに実施させる動作や、画像処理装置１の動作状態を示す内容や、ユーザへの広告などとされている。なお、図１１に示すメッセージ情報は、広告の一例を示しており、他のメッセージＭｓの一例は、後述する図１５に示す。「表示部特徴」は、取付位置に関連し、この項目に該当する取付位置で表示するのが好ましいことを示している。例えば、「表示部特徴」において、一般と設定されていれば、いずれの取付位置にも当てはまることを示し、子供や低いと設定されていれば、低い位置の取付位置に当てはまることを示す。「出力物情報」は、用紙に出力する内容に関連し、この項目に該当する用紙を出力した場合に、表示するのが好ましいことを示している。なお、図１１では、５つのメッセージＭｓが登録されたメッセージ情報を示したがこれに限定されず、メッセージ情報に登録されるメッセージＭｓの数は適宜設定してもよいし、画像処理装置１の動作状態に応じて、複数のメッセージ情報を記憶させていてもよい。
【００６６】
また、メッセージＭｓとして表示する内容については、適宜設定することができ、例えば、対象となるユーザや画像処理装置１の設置場所などを考慮してもよい。具体的に、全般的なユーザに対するメッセージＭｓでは、通常の操作説明などを表示させ、子供に対するメッセージＭｓでは、漢字や難しい表現を少なくした平易な操作説明を表示させる。また、画像処理装置１をコンビニエンスストアなどの店舗に設置する際には、販売している商品などの広告を表示させる。
【００６７】
表示部１０は、画像を表示する機能と入力を受け付ける機能とを兼ね備えることで、画像処理装置１の操作性を向上させることができる。
【００６８】
本発明に係る画像処理方法は、画像を表示する少なくとも２つ以上の複数の表示部１０と、複数の表示部１０が取り付けられる筐体とを備えた画像処理装置の画像処理方法であって、複数の表示部１０は、筐体に対して着脱自在な構成とされ、筐体は、複数の表示部１０を取り付ける取付位置が複数設けられている。画像処理方法では、表示制御部１１に、複数の表示部１０に表示する画像を制御させる表示制御ステップを含み、表示制御ステップは、複数の表示部１０が取り付けられた位置に基づいて、それぞれに表示する画像を制御する。
【００６９】
（第２実施形態）
次に、本発明の第２実施形態に係る画像処理装置について、図面を参照して説明する。なお、第２実施形態は、第１実施形態に対して、略同様の構成とされているので、概略構成図等を省略し、第１実施形態と機能が実質的に等しい構成要素については、同一の符号を付して説明を省略する。
【００７０】
図１２は、入力を受け付けた際、表示する画像を変更する画像変更処理の処理フローを示すフロー図である。
【００７１】
第２実施形態では、複数の表示部１０が取り付けられた画像処理装置１に対し、ユーザの入力を受け付けた表示部１０によって、表示する内容を決定する構成とされている。図１２に示す処理フローでは、開始時において、図９に示す処理フローによって、それぞれの表示部１０に表示する画像が決定された状態とされている。
【００７２】
ステップＳ１１では、表示部１０によって、ユーザの入力を受け付けたかどうかを判断する。その結果、ユーザの入力を受け付けた場合（ステップＳ１１：Ｙｅｓ）、ステップＳ１２へ進む。一方、ユーザの入力を受け付けていない場合（ステップＳ１１：Ｎｏ）、入力されるまで待機する。
【００７３】
ステップＳ１２では、表示制御部１１によって、入力を受け付けた表示部１０の画像を変更する。ここで、入力を受け付けた表示部１０の取付位置に、「表示部特徴」が設定されていれば、以降の表示において、メッセージ情報を参照し、同様の「表示部特徴」が設定されているメッセージＭｓを優先的に選択してもよい。
【００７４】
例えば、第５取付位置Ｐ５に取り付けられた表示部１０で入力を受け付けた場合には、上述したように子供や背の低いユーザに対する表示内容に変更する。つまり、画像処理装置１の一般的な操作説明を表示している場合には、平易な操作説明に変更する。
【００７５】
ステップＳ１３では、表示制御部１１によって、他の表示部１０に表示する画像が設定されているかどうかを判断する。つまり、ステップＳ１２で表示させた画像と関連する画像や広告が、設定されているかどうかを判断する。その結果、他の表示部１０に表示する画像が設定されている場合（ステップＳ１３：Ｙｅｓ）、ステップＳ１４へ進む。一方、他の表示部１０に表示する画像が設定されていない場合（ステップＳ１３：Ｎｏ）、ステップＳ１５へ進む。
【００７６】
ステップＳ１４では、表示制御部１１によって、設定された画像を他の表示部１０に表示させる。
【００７７】
つまり、ステップＳ１２で表示した画像の「表示部特徴」が子供とされていれば、上述した子供に対するメッセージＭｓなどを表示する。また、第５画像ＧＺ５を表示している際には、写真Ｐｈのプレビューとして他の表示部１０に第４画像ＧＺ４を表示させてもよい。さらに、画像処理装置１の操作説明を表示している場合には、他の表示部１０に説明を補足するメッセージＭｓなどを表示してもよい。
【００７８】
ステップＳ１５では、表示制御部１１によって、処理が進行したかどうかを判断する。つまり、用紙の出力が完了したり、ユーザの入力を受け付けたりしたかを判断している。その結果、処理が進行した場合（ステップＳ１５：Ｙｅｓ）、ステップＳ１６へ進む。一方、処理が進行していない場合（ステップＳ１５：Ｎｏ）、処理が進行するまで待機する。
【００７９】
ステップＳ１６では、表示制御部１１によって、表示する画像が設定されているかどうかを判断する。つまり、対応する処理において、表示する画像が設定されているかどうかを判断する。その結果、表示する画像が設定されている場合（ステップＳ１６：Ｙｅｓ）、ステップＳ１２へ戻る。一方、表示する画像が設定されていない場合、処理を終了する。
【００８０】
ここで、例えば、画像形成を開始した際には、画像形成が実行中であることを示す表示をする。それによって、ユーザに画像形成が完了していないことを把握させ、用紙の取り忘れなどを防止する。また、用紙の出力が完了した際には、用紙を出力した場所（排紙トレイ４および用紙排出口５）を通知するメッセージＭｓなどを表示してもよい。
【００８１】
上述した処理フローでは、入力を受け付けた表示部１０にユーザが注視していると判断して、表示内容を切り換えていくことで、ユーザの操作に即した適切な表示をすることができる。
【００８２】
また、本実施の形態において、表示制御部１１は、ユーザの入力を受け付けた際、複数の表示部１０にそれぞれ異なる画像を表示させる構成とされている。すなわち、入力操作の状況に応じて、異なる表示内容とすることで、ユーザに多様な表示を視認させることができる。例えば、入力を受け付けた表示部１０には、次の処理へ進めるための操作画面を表示させ、他の表示部１０には、操作画面に対する操作説明などを表示させる。
【００８３】
次に、複数の表示部１０の取付位置を特定した場合での具体的な処理フローに、ついて説明する。
【００８４】
図１３は、複数の表示部を取り付けた際の画像変更処理の処理フローを示すフロー図である。
【００８５】
図１３では、第１取付位置Ｐ１と第５取付位置Ｐ５とに表示部１０が取り付けられた場合について、説明する。この際、表示モードは、複数表示画面３が選択され、第１取付位置Ｐ１の表示部１０をメイン表示部とし、第５取付位置Ｐ５の表示部１０をサブ表示部としており、サブ表示部には、主に、子供を対象にした表示がされる。処理の開始時において、メイン表示部には、画像処理装置１の利用を促すメッセージＭｓを表示し、サブ表示部には、平仮名などを用いた平易なメッセージＭｓを表示する。
【００８６】
ステップＳ１０１では、表示部１０によって、入力を受け付けた表示部１０がメイン表示部かどうかを判断する。その結果、メイン表示部で入力を受け付けた場合（ステップＳ１０１：Ｙｅｓ）、ステップＳ１１４へ進む。一方、メイン表示部で入力を受け付けていない場合、つまり、サブ表示部で入力を受け付けると（ステップＳ１０１：Ｎｏ）、ステップＳ１０２へ進む。
【００８７】
ステップＳ１０２では、表示制御部１１によって、サブ表示部に操作ステップを表示する。具体的には、図５のように、画像処理装置１へ指示を入力するためのキーＫｅを含む表示をする。そして、画像処理装置１へ印刷が指示されると、次のステップへ進む。
【００８８】
ステップＳ１０３では、表示制御部１１によって、サブ表示部に対応する広告があるかどうかを判断する。つまり、図１１に示すメッセージ情報において、「表示部特徴」が「子供」とされているメッセージＭｓの有無を判断する。その結果、サブ表示部に対応する広告がある場合（ステップＳ１０３：Ｙｅｓ）、ステップＳ１０４へ進む。一方、サブ表示部に対応する広告がない場合（ステップＳ１０３：Ｎｏ）、ステップＳ１０５へ進む。
【００８９】
ステップＳ１０４では、表示制御部１１によって、メッセージ情報から選択した広告（メッセージＭｓ）をサブ表示部に表示する。図１３における設置状況では、例えば、「広告Ｃ」が表示される。
【００９０】
ステップＳ１０５では、処理を継続し、画像形成部２や情報端末３による印刷の工程を進める。
【００９１】
ステップＳ１０６では、表示制御部１１によって、サブ表示部に対応する処理状況の表示があるかどうかを判断する。ここでは、図１４に示すサブ表示部と関連処理との対応関係を参照して、表示の有無を判断し、図１５に示すメッセージＭｓを表示する。
【００９２】
図１４は、サブ表示部と関連処理との対応関係の一例を示す説明図である。
【００９３】
図１４に示す対応関係では、「サブ表示部特徴」、「サブ表示部に対応する処理」、および「関連処理」が関連付けられている。「サブ表示部特徴」は、サブ表示部における「表示部特徴」を示している。「サブ表示部に対応する処理」は、画像処理装置１において、処理が進行している部分を示し、例えば、排紙トレイ４、用紙排出口５、および表示部１０など、何らかの出力や表示をする箇所に対応している。「関連処理」は、出力や表示の内容を特定している。
【００９４】
図１５は、メッセージ情報の一例を示す説明図である。
【００９５】
図１５に示すメッセージ情報では、「ＩＤ」と「表示内容」とが関連付けられているが、これに限らず、「表示部特徴」および「出力物情報」とも関連付けてよい。
【００９６】
図１４および図１５に示す処理状況の表示から判断した結果、サブ表示部に対応する処理状況の表示がある場合（ステップＳ１０６：Ｙｅｓ）、ステップＳ１０７へ進む。一方、サブ表示部に対応する処理状況の表示がない場合（ステップＳ１０６：Ｎｏ）、ステップＳ１０８へ進む。
【００９７】
ステップＳ１０７では、表示制御部１１によって、メッセージ情報から選択した広告（メッセージＭｓ）をサブ表示部に表示する。例えば、用紙排出口５での「写真出力」が実施されている場合には、「写真をプリント中です。」や「写真のプリントが終わりました。」など、画像処理装置１の動作を示す表示をする。
【００９８】
ステップＳ１０８では、処理を継続し、画像形成部２や情報端末３による印刷の工程を進める。
【００９９】
ステップＳ１０９では、表示制御部１１によって、出力物に関する広告があるかどうかを判断する。つまり、図１１に示すメッセージ情報において、出力物が「出力物情報」と一致するメッセージＭｓの有無を判断する。その結果、出力物に関する広告がある場合（ステップＳ１０９：Ｙｅｓ）、ステップＳ１１０へ進む。一方、出力物に関する広告がない場合（ステップＳ１０９：Ｎｏ）、ステップＳ１１１へ進む。
【０１００】
ステップＳ１１０では、表示制御部１１によって、メッセージ情報から選択した広告（メッセージＭｓ）をサブ表示部に表示する。例えば、「キャラクター」に関する出力物を出力する場合には、「広告Ｂ」が表示される。
【０１０１】
ステップＳ１１１では、処理を継続し、画像形成部２や情報端末３によって、出力物を出力する。
【０１０２】
ステップＳ１１２では、表示制御部１１によって、出力物に関するポイントが設定されているかどうかを判断する。ここでは、図１６に示す出力物情報とポイントとの対応関係を参照して、表示の有無を判断する。
【０１０３】
図１６は、出力物情報とポイントとの対応関係の一例を示す説明図である。
【０１０４】
図１６に示す対応関係では、「出力物情報」、「ポイント」、および「ポイント関連広告」が関連付けられている。「ポイント」は、特定の出力物を出力した場合に、加算される数値を示している。「ポイント関連広告」は、「ポイント」に対応した広告とされ、例えば、所定のポイントに到達した際の表示や、ポイントに応じた抽選結果の表示などとされている。
【０１０５】
図１６に示す対応関係から判断した結果、出力物に関するポイントが設定されている場合（ステップＳ１１２：Ｙｅｓ）、ステップＳ１１３へ進む。一方、出力物に関するポイントが設定されていない場合（ステップＳ１１２：Ｎｏ）、処理を終了する。
【０１０６】
ステップＳ１１３では、表示制御部１１によって、出力物に関するポイントを表示する。ここで、ポイントに応じた「ポイント関連広告」を併せて表示してもよい。上述した表示をした後、処理を終了する。
【０１０７】
ステップＳ１１４では、表示制御部１１によって、メイン表示部に操作ステップを表示する。そして、画像処理装置１へ印刷が指示されると、次のステップへ進む。
【０１０８】
ステップＳ１１５では、処理を継続し、画像形成部２や情報端末３による印刷の工程を進め、処理を終了する。
【０１０９】
なお、ステップＳ１０２からステップＳ１１３までの処理において、メイン表示部では、サブ表示部と異なる表示をしていてもよく、例えば、「ただいま、プリント中です。」など、画像処理装置１の動作を示す表示をしてもよい。
【０１１０】
（第３実施形態）
次に、本発明の第３実施形態に係る画像処理装置について説明する。なお、第３実施形態は、第１実施形態および第２実施形態に対して、略同様の構成とされているので、図面等を省略し、第１実施形態および第２実施形態と機能が実質的に等しい構成要素については、説明を省略する。
【０１１１】
第３実施形態では、第１実施形態に対し、表示部１０のサイズを比較する点で異なっている。複数の表示部１０は、予め自身のサイズを示す情報が記録されており、それぞれサイズを示す情報を表示制御部１１に通知する構成とされている。そして、表示制御部１１は、複数の表示部１０における互いのサイズを比較して、表示する画像を制御する構成とされている。すなわち、表示部１０のサイズに合わせた画像とすることで、ユーザが視認しやすい表示をすることができる。
【０１１２】
具体的に、表示制御部１１は、取付位置と伴にサイズを考慮して、表示部１０の表示内容を決定する。例えば、相対的に大きい表示部１０には、主操作画面を表示させ、相対的に小さい表示部１０には、操作補助、商品紹介、およびサービス紹介などのコンテンツ情報を表示させる。このような表示とすることで、画像処理装置１の処理を進める際には、大きい画面で操作性を向上させ、補助的に必要とされる表示内容については、他の画面に表示して、ユーザの操作に影響を与えないようにする。
【０１１３】
（第４実施形態）
次に、本発明の第４実施形態に係る画像処理装置について、図面を参照して説明する。なお、第４実施形態は、第１実施形態ないし第３実施形態に対して、略同様の構成とされているので、概略構成図等を省略し、第１実施形態ないし第３実施形態と機能が実質的に等しい構成要素については、同一の符号を付して説明を省略する。
【０１１４】
図１７は、本発明の第４実施形態に係る画像処理装置の概略説明図である。
【０１１５】
第４実施形態では、携帯端末１２を表示部１０として用いている。具体的に、表示部１０は、第１取付位置Ｐ１と第３取付位置Ｐ３とに取り付けられている。上述したように、携帯端末１２は、第６画像ＧＺ６のように、画像のリストを表示するのに適しており、サブ表示部として設定されるのが好ましい。
【０１１６】
次に、表示部１０に出力物のプレビューを表示する際の処理フローについて説明する。
【０１１７】
図１８は、プレビュー拡大処理の処理フローを示すフロー図である。
【０１１８】
処理開始時には、ユーザから画像処理装置１へ印刷の指示が入力されており、出力する画像をユーザに選択させる表示として、出力物の画像を示すプレビュー表示がされている。
【０１１９】
ステップＳ２１では、表示制御部１１によって、プレビュー拡大表示を行うかどうかを判断している。つまり、表示部１０には、プレビューを拡大する「プレビュー拡大処理」を受け付けるキーＫｅが表示されており、ユーザから「プレビュー拡大処理」が入力されたかどうかを判断している。その結果、プレビュー拡大表示を行う場合（ステップＳ２１：Ｙｅｓ）、ステップＳ２２へ進む。一方、プレビュー拡大表示を行わない場合（ステップＳ１１２：Ｎｏ）、ステップＳ２３へ進む。
【０１２０】
ステップＳ２２では、表示制御部１１によって、サブ表示部にプレビュー拡大表示を行う。ここで、メイン表示部には、プレビューや画像のリストなど、サブ表示部と異なる表示をさせておけばよい。つまり、メイン表示部とサブ表示部とで別の表示を行うことで、ユーザに適宜画像を選択させるなど、操作性を向上させることができる。
【０１２１】
ステップＳ２３では、表示制御部１１によって、メイン表示部に関連するメッセージ表示があるどうかを判断している。ここでは、上述した図１３のステップＳ１０６と同様に、図１４および図１５に示す処理状況の表示から判断すればよい。その結果、メイン表示部に関連するメッセージ表示がある場合（ステップＳ２３：Ｙｅｓ）、ステップＳ２４へ進む。一方、メイン表示部に関連するメッセージ表示がない場合（ステップＳ２３：Ｎｏ）、ステップＳ２５へ進む。
【０１２２】
ステップＳ２４では、表示制御部１１によって、メッセージ情報から選択したメッセージＭｓをサブ表示部に表示する。
【０１２３】
ステップＳ２５では、表示制御部１１によって、ヘルプ表示を行うかどうかを判断している。ここでは、ステップＳ２３と同様に判断すればよいし、キーＫｅ等からの入力によってヘルプ表示を行ってもよい。その結果、ヘルプ表示を行う場合（ステップＳ２５：Ｙｅｓ）、ステップＳ２６へ進む。一方、ヘルプ表示を行わない場合（ステップＳ２５：Ｎｏ）、処理を終了する。
【０１２４】
ステップＳ２４では、表示制御部１１によって、ヘルプ表示をサブ表示部に表示し、処理を終了する。
【０１２５】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【０１２６】
１  画像処理装置
２  画像形成部
３  情報端末
４  排紙トレイ
５  用紙排出口
１０  表示部
１１  表示制御部
１２  携帯端末
【図１】
2018034487.tif 000003
【図２】
2018034487.tif 000004
【図３】
2018034487.tif 000005
【図４】
2018034487.tif 000006
【図５】
2018034487.tif 000007
【図６】
2018034487.tif 000008
【図７】
2018034487.tif 000009
【図８】
2018034487.tif 000010
【図９】
2018034487.tif 000011
【図１０】
2018034487.tif 000012
【図１１】
2018034487.tif 000013
【図１２】
2018034487.tif 000014
【図１３】
2018034487.tif 000015
【図１４】
2018034487.tif 000016
【図１５】
2018034487.tif 000017
【図１６】
2018034487.tif 000018
【図１７】
2018034487.tif 000019
【図１８】
2018034487.tif 000020